(57)【要約】【課題】警報時のブザー音を確実にユーザに認識させることが可能なブザー警報器を提供する。【解決手段】ガス警報器１は、周囲環境に応じた信号を出力するセンサ部１０と、センサ部１０からの信号に基づいて異常状態であるかを判断する異常状態判断部２１と、異常状態判断部２１により異常状態であると判断された場合に、ブザー音により異常状態を報知するブザー３０と、１の異常状態に対して、ブザー３０からブザー音を出力させる際の周波数データを複数記憶する記憶部２４と、１の異常状態に対して記憶部２４により記憶される複数の周波数データのうちいずれか１つの周波数データを選択する選択部２２と、異常状態判断部２１により１の異常状態であると判断された場合に、選択部２２により選択されるいずれか１つの周波数データに基づいて、ブザー３０からブザー音を出力させるブザー音出力制御部２３とを備える。【選択図】図２
2018132849.tif 000002
【特許請求の範囲】
【請求項１】
周囲環境に応じた信号を出力するセンサ部と、前記センサ部からの信号に基づいて異常状態であるかを判断する異常状態判断手段と、前記異常状態判断手段により異常状態であると判断された場合に、ブザー音により異常状態を報知するブザーと、を備えたブザー警報器であって、
１の異常状態に対して、前記ブザーからブザー音を出力させる際の周波数データを複数記憶する記憶手段と、
前記１の異常状態に対して前記記憶手段により記憶される複数の周波数データのうちいずれか１つの周波数データを選択する選択手段と、
前記異常状態判断手段により前記１の異常状態であると判断された場合に、前記選択手段により選択されるいずれか１つの周波数データに基づいて、前記ブザーからブザー音を出力させるブザー音出力手段と、
を備えることを特徴とするブザー警報器。
【請求項２】
前記ブザーを複数備え、
前記記憶手段により記憶される複数の周波数データのうち少なくとも１つは、前記複数のブザーのうち第１グループのブザーから出力するブザー音と、前記複数のブザーのうち第１グループのブザーと異なる第２グループのブザーから出力するブザー音とが同時に出力される重複期間があり、当該重複期間におけるブザー音の周波数が和音の関係となっている
ことを特徴とする請求項１に記載のブザー警報器。
【請求項３】
前記ブザーを複数備え、
前記記憶手段により記憶される複数の周波数データのうち少なくとも１つは、前記複数のブザーのうち第１グループのブザーから出力するブザー音と、前記複数のブザーのうち第１グループのブザーと異なる第２グループのブザーから出力するブザー音とが同時に出力される重複期間があり、当該重複期間におけるブザー音の周波数が不協和音の関係となっている
ことを特徴とする請求項１に記載のブザー警報器。
【請求項４】
前記記憶手段により記憶される複数の周波数データのうち少なくとも１つは、３種の異なる周波数を有して構成され、第１の周波数の後に、前記第１の周波数よりも高い第２の周波数を経て、前記第２の周波数よりも低い第３の周波数に至るものである
ことを特徴とする請求項１に記載のブザー警報器。
【発明の詳細な説明】
【技術分野】
【０００１】
本発明は、ブザー警報器に関する。
【背景技術】
【０００２】
従来、ブザーを内蔵し、ブザー音により警報を行うブザー警報器が知られている。このようなブザー警報器には、周波数が異なる複数のブザー音を出力可能としたものが提案されている（例えば特許文献１参照）。具体的にブザー警報器は、ブザーがほぼ最大の音圧出力を発生する主周波数と、その主周波数における音圧出力よりも１０ｄＢ以上低い音圧出力を与える副周波数とで、ブザーを鳴動可能となっている。
【先行技術文献】
【特許文献】
【０００３】
【特許文献１】特開２００３−５８１６５号公報
【発明の概要】
【発明が解決しようとする課題】
【０００４】
しかし、特許文献１に記載のブザー警報器は、例えば警報時に主周波数でブザーを鳴動させ、点検時に副周波数でブザーを鳴動させるなど、同一の警報事象に対して複数のブザー音を選択可能としたものではない。このため、例えば警報時のブザー音と似たようなブザー音を出力するような電子機器が存在する場合には、電子機器からのブザー音と警報時のブザー音とを区別し難くなり、ブザー警報器が警報していないにも拘わらずユーザは警報したとセンターに通報してしまうことがある。
【０００５】
本発明はこのような従来の課題を解決するためになされたものであり、その発明の目的とするところは、警報時のブザー音を確実にユーザに認識させることが可能なブザー警報器を提供することにある。
【課題を解決するための手段】
【０００６】
本発明に係るブザー警報器は、周囲環境に応じた信号を出力するセンサ部と、前記センサ部からの信号に基づいて異常状態であるかを判断する異常状態判断手段と、前記異常状態判断手段により異常状態であると判断された場合に、ブザー音により異常状態を報知するブザーと、を備えたブザー警報器であって、１の異常状態に対して、前記ブザーからブザー音を出力させる際の周波数データを複数記憶する記憶手段と、前記１の異常状態に対して前記記憶手段により記憶される複数の周波数データのうちいずれか１つの周波数データを選択する選択手段と、前記異常状態判断手段により前記１の異常状態であると判断された場合に、前記選択手段により選択されるいずれか１つの周波数データに基づいて、前記ブザーからブザー音を出力させるブザー音出力手段と、を備えることを特徴とする。
【０００７】
このブザー警報器によれば、１の異常状態に対してブザー音を出力させる際の周波数データを複数記憶し、１の異常状態であると判断された場合に、選択されるいずれか１つの周波数データに基づいてブザーからブザー音を出力させる。このため、１の異常状態に対する警報時のブザー音を複数から選択可能となり、たとえ警報時のブザー音と似たようなブザー音を出力するような電子機器が存在したとしても、電子機器のブザー音を回避するように切り替えることができる。従って、警報時のブザー音をより確実にユーザに認識させることが可能なブザー警報器を提供することができる。
【０００８】
また、本発明に係るブザー警報器において、前記ブザーを複数備え、前記記憶手段により記憶される複数の周波数データのうち少なくとも１つは、前記複数のブザーのうち第１グループのブザーから出力するブザー音と、前記複数のブザーのうち第１グループのブザーと異なる第２グループのブザーから出力するブザー音とが同時に出力される重複期間があり、当該重複期間におけるブザー音の周波数が和音の関係となっていることが好ましい。
【０００９】
このブザー警報器によれば、ブザー音の周波数が和音の関係となっているため、電子機器のブザー音とは大きく異なる強調されたブザー音を提供可能とし、より一層警報時のブザー音をユーザに認識させることができる。
【００１０】
また、本発明に係るブザー警報器において、前記ブザーを複数備え、前記記憶手段により記憶される複数の周波数データのうち少なくとも１つは、前記複数のブザーのうち第１グループのブザーから出力するブザー音と、前記複数のブザーのうち第１グループのブザーと異なる第２グループのブザーから出力するブザー音とが同時に出力される重複期間があり、当該重複期間におけるブザー音の周波数が不協和音の関係となっていることが好ましい。
【００１１】
このブザー警報器によれば、ブザー音の周波数が不協和音の関係となっているため、電子機器のブザー音とは大きく異なり且つ違和感あるブザー音を提供可能とし、より一層警報時のブザー音をユーザに認識させることができる。
【００１２】
また、本発明に係るブザー警報器において、前記記憶手段により記憶される複数の周波数データのうち少なくとも１つは、３種の異なる周波数を有して構成され、第１の周波数の後に、前記第１の周波数よりも高い第２の周波数を経て、前記第２の周波数よりも低い第３の周波数に至るものであることが好ましい。
【００１３】
このブザー警報器によれば、周波数データのうち少なくとも１つは３種の異なる周波数を有するため、ブザー警報器からのブザー音をメロディ調にすることが可能となり、電子機器のブザー音と似たようなブザー音となる可能性を低減することができる。特に周波数データのうち少なくとも１つは、第１の周波数の後に、第１の周波数よりも高い第２の周波数を経て、第２の周波数よりも低い第３の周波数に至るものであるため、高齢者にとって聞き取り易い低い周波数から高い周波数を経て、再度高齢者にとって聞き取り易い低い周波数へ移行するものとなる。このようにすることで、電子機器のブザー音とを混同する可能性が高い高齢者にとって警報時のブザー音を聞き取り易いものに構成でき、たとえユーザが高齢者であっても、警報時のブザー音をユーザに認識させることができる。
【発明の効果】
【００１４】
本発明によれば、警報時のブザー音を確実にユーザに認識させることが可能なブザー警報器を提供することができる。
【図面の簡単な説明】
【００１５】
【図１】本発明の第１実施形態に係るガス警報器を示す正面図である。
【図２】図１に示すガス警報器のブロック図である。
【図３】図２に示した記憶部により記憶される複数の周波数データを示す概念図であって、（ａ）は第１の周波数データを示し、（ｂ）は第２の周波数データを示している。
【図４】第１実施形態に係るガス警報器のブザー音出力方法を示すフローチャートである。
【図５】第２実施形態に係る記憶部により記憶される複数の周波数データを示す概念図であって、（ａ）は第１の周波数データを示し、（ｂ）は第２の周波数データを示している。
【図６】第３実施形態に係る記憶部により記憶される複数の周波数データを示す概念図であって、（ａ）は第１の周波数データを示し、（ｂ）は第２の周波数データを示している。
【発明を実施するための形態】
【００１６】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾点が発生しない範囲内において、適宜公知又は周知の技術が適用されていることはいうまでもない。
【００１７】
さらに、以下においてはブザー警報器の一例としてブザー式のガス警報器を示すが、本発明は特にガス警報器に限らず、火災警報器など他の種類の警報器であってもよい。さらには、ＣＯ警報器や火災警報器など、２以上の警報器の機能を組み合わせたタイプのものであってもよい。加えて、警報器は、他の警報器と連動して動作する機能を有するものであってもよい。
【００１８】
図１は、本発明の第１実施形態に係るガス警報器を示す正面図であり、図２は、図１に示すガス警報器のブロック図である。図１及び図２に示すガス警報器１は、例えば商用電源からの電力により駆動し、ＬＰガスや都市ガスなどのガス漏れを異常状態として検出する警報器であって、壁面に対して取り付けられる定置式の警報器である。なお、第１実施形態に係るガス警報器１は電池により駆動する電池式のものであってもよい。
【００１９】
ガス警報器１は、センサ部１０と、制御部２０と、ブザー３０と、点検スイッチ４０と、ＬＥＤ５０とを備えている。制御部２０は、ガス警報器１の全体を制御するものであり、ＣＰＵ（Central Processing Unit）によって構成される。この制御部２０は、異常状態判断部（異常状態判断手段）２１を備えている。以下、各部について説明する。
【００２０】
センサ部１０は、周囲環境に応じた信号を出力するものであって、第１実施形態においては検知対象ガスの濃度に応じた信号を出力するものである。このセンサ部１０は、ガス警報器１の筐体２内に収納され、不図示の開孔を通じて外部のガスを筐体２内に取り込み、取り込んだガス中における検知対象ガスの濃度に応じた信号を出力する。
【００２１】
異常状態判断部２１は、センサ部１０からの信号に基づいて異常状態であるかを判断するものである。第１実施形態において異常状態判断部２１は、センサ部１０からの信号により所定濃度以上の検知対象ガスが検出された場合に、周囲が異常状態であると判断する。
【００２２】
ブザー３０は、ブザー音により異常状態を報知するものである。第１実施形態においてガス警報器１は、複数（例えば２つ）のブザー３０（３１，３２）を備えて構成されている。２つのブザー３１，３２は、ガス警報器１の筐体２のうち複数の開孔が形成された音出力部３に対応して収納されている。
【００２３】
点検スイッチ４０は、所定の操作（例えば所定時間以内の短押し）がされることにより、制御部２０に点検処理を実行させる操作部である。第１実施形態において点検スイッチ４０が押下されると、筐体２の内部に設けられる配線板上の機械スイッチ（図示せず）が押下される。この機械スイッチが所定時間以内で押下されることで、制御部２０は点検処理を実行する。点検処理が実行されると、ブザー３０の鳴動やＬＥＤ５０の点灯や点滅などが実行される。
【００２４】
ＬＥＤ５０は、点灯や点滅などにより、ガス警報器１の状態（監視状態や異常状態の報知状態）を表示するものである。ここで、第１実施形態において点検スイッチ４０は半透明性の部材により構成されている。ＬＥＤ５０は、配線板（図示せず）のうち半透明性の点検スイッチ４０に対応する位置に設けられており、半透明性の点検スイッチ４０を通じて光を外部に出射する構成となっている。
【００２５】
このような第１実施形態において制御部２０は、さらに選択部（選択手段）２２と、ブザー音出力制御部（ブザー音出力手段）２３と、記憶部（記憶手段）２４とを備えている。
【００２６】
記憶部２４は、ガス警報器１が機能するためのプログラムや、検知対象ガスの高濃度異常と判断するための閾値データ等を記憶するものである。特に、第１実施形態において記憶部２４は、１の異常状態に対して、ブザー３０からブザー音を出力させる際の周波数データを複数記憶している。
【００２７】
第１実施形態において１の異常状態とは、検知対象ガスの高濃度異常であるが、例えば検知対象ガスを多段階の濃度閾値で判定する警報器においては、第１段閾値以上第２段閾値未満などの特定濃度における高濃度異常を意味してもよい。さらには、電池電圧低下異常や特定箇所の故障異常などであってもよい。また、１の異常状態が複数あり、記憶部２４は、それぞれの異常状態において複数の周波数データを記憶していてもよい。
【００２８】
図３は、図２に示した記憶部２４により記憶される複数の周波数データを示す概念図であって、（ａ）は第１の周波数データを示し、（ｂ）は第２の周波数データを示している。なお、以下の例においては１の異常状態に対して、記憶部２４は２つの周波数データを記憶している例を説明するが、周波数データは２つに限らず、３つ以上であってもよい。
【００２９】
図３（ａ）に示す第１の周波数データは、第１ブザー３１と第２ブザー３２とが同じブザー音を出力するものとなっており、第１ブザー３１の鳴動周波数ｆ１と第２ブザー３２の鳴動周波数ｆ２とが共に２．４ｋＨｚとなっている。具体的に周波数データは、２．４ｋＨｚのブザー音出力期間Ｔ１と、無音期間Ｔ２とを繰り返すものとなっている。ここで、２．４ｋＨｚは例えば第１及び第２ブザー３１，３２の共振周波数となっており、第１及び第２ブザー３１，３２が最大音圧でブザー音を出力することができる周波数となっている。
【００３０】
図３（ｂ）に示す第２の周波数データは、第１ブザー３１（第１グループのブザーの一例）と第２ブザー３２（第２グループのブザーの一例）とが異なるブザー音を出力するものとなっている。具体的に周波数データは、ブザー音出力期間Ｔ１と、無音期間Ｔ２とを繰り返すものとなっているが、第１ブザー３１の鳴動周波数ｆ１（２ｋＨｚ）と第２ブザー３２の鳴動周波数ｆ２（２．４ｋＨｚ）とが異なっており、ｆ１：ｆ２＝ｎ：ｎ＋１（ｎは自然数）の関係式が成立するようになっている。すなわち、第１ブザー３１からのブザー音と、第２ブザー３２からのブザー音とは、和音の関係となっている。
【００３１】
なお、図３に示す周波数データは、第１ブザー３１と第２ブザー３２とで、ブザー音出力期間Ｔ１と無音期間Ｔ２とが完全に一致しているが、これに限らず、第１及び第２ブザー３１，３２のブザー音出力期間Ｔ１と無音期間Ｔ２とは互いにずれる関係であってもよい。特に、図３（ｂ）に示す例においては、第１ブザー３１と第２ブザー３２とで、ブザー音出力期間Ｔ１に重複期間が存在し、その重複期間においてブザー音同士が和音の関係となっていればよく、重複期間以外の周波数は特に問われるものではない。
【００３２】
再度図２を参照する。選択部２２は、１の異常状態に対して記憶される複数の周波数データのうち、いずれか１つの周波数データを選択するものである。第１実施形態においては、図３（ａ）及び図３（ｂ）に示すように、１の異常状態に対して２つの周波数データが存在するため、これらの２つの周波数データからいずれか１つを選択するものとなる。
【００３３】
ここで、選択部２２が選択する周波数データについては、点検スイッチ４０を通じてユーザにより選択可能となっている。例えば、所定時間を超えて点検スイッチ４０を長押しするなど、上記の所定の操作（例えば所定時間以内の短押し）と異なる操作を行った場合に、選択対象となる周波数データが切り替えられる。なお、選択対象となる周波数データの切り替えは、ガス警報器１に設けられる点検スイッチ４０以外の操作部を通じて行われてもよいし、有線又は無線により外部機器の操作を通じて行われてもよい。さらに、周波数データの選択設定は記憶部２４（特に電源切断時においても記憶内容を保持可能なフラッシュメモリ）に記憶されて保持される。
【００３４】
ブザー音出力制御部２３は、ブザー音の出力制御を行うものであり、異常状態判断部２１により１の異常状態であると判断された場合に、選択部２２により選択されるいずれか１つの周波数データに基づいて、ブザー３０からブザー音を出力させるものである。すなわち、図３（ａ）に示す周波数データが選択されている場合、ブザー音出力制御部２３は、第１及び第２ブザー３１，３２の双方から最大音圧でのブザー音を出力させる。一方、図３（ｂ）に示す周波数データが選択されている場合、ブザー音出力制御部２３は、第１及び第２ブザー３１，３２の双方から和音の関係となるブザー音を出力させる。
【００３５】
図４は、第１実施形態に係るガス警報器１のブザー音出力方法を示すフローチャートである。図４に示すように、まず制御部２０は、センサ部１０からの信号を入力する（Ｓ１）。
【００３６】
次いで、異常状態判断部２１は、センサ部１０からの信号に基づいて、１の異常状態であるかを判断する（Ｓ２）。ここで、１の異常状態でないと判断した場合（Ｓ２：ＮＯ）、図４に示す処理は終了する。
【００３７】
一方、１の異常状態であると判断した場合（Ｓ２：ＹＥＳ）、ブザー音出力制御部２３は、選択部２２により第１の周波数データが選択されているかを判断する（Ｓ３）。第１の周波数データが選択されていると判断した場合（Ｓ３：ＹＥＳ）、ブザー音出力制御部２３は、第１の周波数データに基づき第１及び第２ブザー３１，３２を鳴動させて、最大音圧となるブザー音（第１ブザー音）を出力する（Ｓ４）。その後、図４に示す処理は終了する。
【００３８】
第１の周波数データが選択されていないと判断した場合（Ｓ３：ＮＯ）、ブザー音出力制御部２３は、第２の周波数データに基づき第１及び第２ブザー３１，３２を鳴動させて、和音となるブザー音（第２ブザー音）を出力する（Ｓ５）。その後、図４に示す処理は終了する。
【００３９】
このようにして、第１実施形態に係るガス警報器１によれば、１の異常状態に対してブザー音を出力させる際の周波数データを複数記憶し、１の異常状態であると判断された場合に、選択されるいずれか１つの周波数データに基づいてブザー３０からブザー音を出力させる。このため、１の異常状態に対する警報時のブザー音を複数から選択可能となり、たとえ警報時のブザー音と似たようなブザー音を出力するような電子機器が存在したとしても、電子機器のブザー音を回避するように切り替えることができる。従って、警報時のブザー音をより確実にユーザに認識させることが可能なガス警報器１を提供することができる。
【００４０】
また、ブザー音の周波数が和音の関係となっているため、電子機器のブザー音とは大きく異なる強調されたブザー音を提供可能とし、より一層警報時のブザー音をユーザに認識させることができる。
【００４１】
次に、本発明の第２実施形態を説明する。第２実施形態に係るガス警報器は第１実施形態のものと同様であるが、一部第１実施形態のものと異なっている。以下、第１実施形態との相違点を説明する。
【００４２】
図５は、第２実施形態に係る記憶部２４により記憶される複数の周波数データを示す概念図であって、（ａ）は第１の周波数データを示し、（ｂ）は第２の周波数データを示している。
【００４３】
図５（ａ）に示す第１の周波数データは、図３（ａ）のものと同じである。すなわち、第１及び第２ブザー３１，３２の双方から最大音圧のブザー音を出力する。一方、図５（ｂ）に示す第２の周波数データは、第１ブザー３１と第２ブザー３２とが異なるブザー音を出力するものとなっている（すなわちｆ１≠ｆ２となる）点で第１実施形態と同じである。しかし、第２実施形態においては、第１ブザー３１の鳴動周波数ｆ１が１．９ｋＨｚとなっており、且つ、第２ブザー３２の鳴動周波数ｆ２が２．４ｋＨｚとなっていることから、ｆ１：ｆ２＝ｎ：ｎ＋１（ｎは自然数）の関係式が成立しないようになっている。すなわち、第１ブザー３１からのブザー音と、第２ブザー３２からのブザー音とは、不協和音の関係となっている。
【００４４】
このため、第２実施形態においてブザー音出力制御部２３は、図５（ａ）に示す第１の周波数データが選択されている場合、第１及び第２ブザー３１，３２の双方から最大音圧でのブザー音を出力させる。一方、ブザー音出力制御部２３は、図５（ｂ）に示す第２の周波数データが選択されている場合、第１ブザー３１（第１グループのブザーの一例）と第２ブザー３２（第２グループのブザーの一例）とから不協和音の関係となるブザー音を出力させる。
【００４５】
なお、図５に示す周波数データは、図３に示すものと同様に、第１及び第２ブザー３１，３２のブザー音出力期間Ｔ１と無音期間Ｔ２とが互いにずれる関係であってもよい。特に、図５（ｂ）に示す例においては、第１ブザー３１と第２ブザー３２とで、ブザー音出力期間Ｔ１に重複期間が存在し、その重複期間においてブザー音同士が不協和音の関係となっていればよく、重複期間以外の周波数は特に問われるものではない。
【００４６】
このようにして、第２実施形態に係るガス警報器１によれば、第１実施形態と同様に、警報時のブザー音をより確実にユーザに認識させることが可能なガス警報器１を提供することができる。
【００４７】
また、ブザー音の周波数が不協和音の関係となっているため、電子機器のブザー音とは大きく異なり且つ違和感あるブザー音を提供可能とし、より一層警報時のブザー音をユーザに認識させることができる。
【００４８】
次に、本発明の第３実施形態を説明する。第３実施形態に係るガス警報器は第１実施形態のものと同様であるが、一部第１実施形態のものと異なっている。以下、第１実施形態との相違点を説明する。
【００４９】
図６は、第３実施形態に係る記憶部２４により記憶される複数の周波数データを示す概念図であって、（ａ）は第１の周波数データを示し、（ｂ）は第２の周波数データを示している。なお、図６においては、第１及び第２の周波数データのどちらが選択されていたとしても、第１及び第２ブザー３１，３２の双方から同じブザー音を出力するため、第１及び第２ブザー３１，３２それぞれの周波数データについての記載を省略し、第１ブザー３１の周波数データのみを図示するものとする。
【００５０】
また、第３実施形態においては第１及び第２ブザー３１，３２の双方から同じブザー音を出力する関係上、複数のブザー３１，３２を備えなくともよく、１つのブザーにより構成されていてもよい。
【００５１】
まず、図６（ａ）に示す第１の周波数データは、図３（ａ）のものと同じである。すなわち、第１及び第２ブザー３１，３２の双方から最大音圧のブザー音を出力する。
【００５２】
一方、図６（ｂ）に示す第２の周波数データは、３種の異なる周波数を有して構成されている。なお、図６（ｂ）に示す第２の周波数データは、３種の異なる周波数を有して構成されていれば４種以上の異なる周波数を有していてもよい。ここで、第３実施形態に係る第２の周波数データは、第１の周波数の後に、第１の周波数よりも高い第２の周波数を経て、第２の周波数よりも低い第３の周波数に至るものとなっている。具体的に説明すると、第２の周波数データは、初回のブザー音出力期間Ｔ１において、第１及び第２ブザー３１，３２を０．８ｋＨｚにて鳴動させるものとなっており、初回の無音期間Ｔ２を経て、２回目のブザー音出力期間Ｔ１において、第１及び第２ブザー３１，３２を２．４ｋＨｚ又は２．０ｋＨｚにて鳴動させるものとなっている。さらに、第２の周波数データでは、２回目の無音期間Ｔ２を経た３回目のブザー音出力期間Ｔ１において、第１及び第２ブザー３１，３２を１．４ｋＨｚにて鳴動させ、３回目の無音期間Ｔ２に至るものとなっている。
【００５３】
以上より、第３実施形態においてブザー音出力制御部２３は、図６（ａ）に示す第１の周波数データが選択されている場合、第１及び第２ブザー３１，３２の双方から最大音圧でのブザー音を出力させる。
【００５４】
一方、ブザー音出力制御部２３は、図６（ｂ）に示す第２の周波数データが選択されている場合、まず、第１及び第２ブザー３１，３２から０．８ｋＨｚのブザー音を出力し、その後２．４ｋＨｚ又は２．０ｋＨｚのブザー音を経て、１．４ｋＨｚのブザー音を出力する。特に、高齢者にとっては１．６ｋＨｚ以下のブザー音が聞き取り易いことから、高齢者にとって聞き取り易いブザー音から、比較的音圧が高いブザー音（２．４ｋＨｚとした場合には最大音圧となる）を経て、再度高齢者にとって聞き取り易いブザー音を出力することとなる。
【００５５】
このようにして、第３実施形態に係るガス警報器１によれば、第１実施形態と同様に、警報時のブザー音をより確実にユーザに認識させることが可能なガス警報器１を提供することができる。
【００５６】
また、周波数データのうち少なくとも１つは３種の異なる周波数を有するため、ガス警報器１からのブザー音をメロディ調にすることが可能となり、電子機器のブザー音と似たようなブザー音となる可能性を低減することができる。特に第２の周波数データは、第１の周波数（０．８ｋＨｚ）の後に、第１の周波数よりも高い第２の周波数（２．４ｋＨｚ又は２．０ｋＨｚ）を経て、第２の周波数よりも低い第３の周波数（１．４ｋＨｚ）に至るものであるため、高齢者にとって聞き取り易い低い周波数から高い周波数を経て、再度高齢者にとって聞き取り易い低い周波数へ移行するものとなる。このようにすることで、電子機器のブザー音とを混同する可能性が高い高齢者にとって警報時のブザー音を聞き取り易いものに構成でき、たとえユーザが高齢者であっても、警報時のブザー音をユーザに認識させることができる。
【００５７】
以上、実施形態に基づき本発明を説明したが、本発明は上記実施形態に限られるものではなく、本発明の趣旨を逸脱しない範囲で、変更を加えてもよいし、実施形態同士の技術を組み合わせてもよい。さらには可能な範囲で適宜他の技術（公知又は周知の技術を含む）を組み合わせてもよい。
【００５８】
例えば、上記実施形態においてはガス警報器を例に説明したが、本発明はガス警報器に限らず、例えば火災警報器など他の種類の警報器であってもよいし、ＣＯ警報器や火災警報器など、２以上の警報器の機能を組み合わせたタイプのものであってもよい。加えて、警報器は、他の警報器と連動して動作する機能を有するものであってもよい。
【００５９】
さらに、上記実施形態において記憶部２４は、２つの周波数データを記憶しているが、これに限らず、３つ以上の周波数データを記憶していてもよい。また、第１及び第２実施形態において２つのブザー３１，３２から和音及び不協和音となるブザー音を出力しているが、これに限らず、３つ以上のブザーを有し、このうちの２つのブザーから和音及び不協和音となるブザー音を出力してもよい。さらには、３つ以上のブザーを有し、これらブザーを第１グループのブザーと、第１グループのブザーと異なる第２グループのブザーとに区分し（他の用途のために、第３以上のグループが存在してもよい）、第１グループのブザーからのブザー音と第２グループのブザーからのブザー音とが和音や不協和音の関係となるようにしてもよい。
【００６０】
加えて、周波数データは、図３、図５及び図６に示すものに限らず、例えばテンポが速いものと遅いもの、高い周波数を含むものと含まないもの、など他の周波数データであってもよい。さらには、長音階で構成されたメロディに短音階を含ませた周波数データであってもよい。特に、テンポが速いもの、高い周波数を含むもの、及び長音階で構成されたメロディに短音階を含ませたものについては、異常状態に対する緊急性や危険性をアピールすることができるからである。
【符号の説明】
【００６１】
１    ：ガス警報器
２    ：筐体
３    ：音出力部
１０  ：センサ部
２０  ：制御部
２１  ：異常状態判断部（異常状態判断手段）
２２  ：選択部（選択手段）
２３  ：ブザー音出力制御部（ブザー音出力手段）
２４  ：記憶部（記憶手段）
３０  ：ブザー
３１  ：第１ブザー
３２  ：第２ブザー
４０  ：点検スイッチ
５０  ：ＬＥＤ
Ｔ１  ：ブザー音出力期間
Ｔ２  ：無音期間
【図１】
2018132849.tif 000003
【図２】
2018132849.tif 000004
【図３】
2018132849.tif 000005
【図４】
2018132849.tif 000006
【図５】
2018132849.tif 000007
【図６】
2018132849.tif 000008